【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
撮影動作の開始に連動した第１の効果音と撮影動作の終了に連動した第２の効果音との発音処理を行う発音処理手段と、
撮影動作の開始の際に、当該撮影動作の前に行われた撮影動作の終了に連動した前記第２の効果音が発音しているか否かを判定する判定手段と、
前記判定手段によって前記第２の効果音が発音していると判定された場合は、前記第１の効果音の発音処理を行わない、あるいは発音している前記第２の効果音を停止するよう制御する制御手段と
を有することを特徴とする撮像装置。
【請求項２】
前記制御手段は、前記判定手段によって前記第２の効果音が発音していると判定された場合は、発音している前記第２の効果音を停止し、かつ前記撮影動作の開始に連動させて前記第１の効果音の発音処理を行うよう制御することを特徴とする請求項１記載の撮像装置。
【請求項３】
撮影動作の開始を示す第１の効果音と撮影動作の終了を示す第２の効果音との発音処理を行う発音処理手段と、
撮影動作終了から次回撮影動作開始までの期間に要する時間を取得する取得手段と、
前記取得手段によって取得した時間に応じて、撮影動作の終了を示す前記第２の効果音の発音処理を、中断することなく次回の撮影動作の開始までに終了するように行うよう制御する制御手段と
を有することを特徴とする撮像装置。
【請求項４】
前記撮像装置はさらに、
前記取得手段によって取得した時間が、前記第２の効果音の発音処理を中断することなく行うのに必要な時間より短いか否かを判定する判定手段と、
前記制御手段は、前記判定手段によって前記取得手段によって取得した時間の方が短いと判定された場合に、撮影動作の終了を示す前記第２の効果音の発音処理を当該撮影動作終了より早く開始することを特徴とする請求項３記載の撮像装置。
【請求項５】
前記撮像装置はさらに、
発音処理を中断することなく行うために要する時間が異なる複数の効果音の音声データを読み出し可能な読み出し手段を有し、
前記制御手段は、前記取得手段によって取得した時間に応じた効果音の音声データを前記第２の効果音として選択し、前記選択した効果音の音声データを前記読み出し手段によって読み出し、撮影動作の終了に連動して前記選択した効果音の音声データの発音処理を行うよう制御することを特徴とする請求項３記載の撮像装置。
【請求項６】
前記撮像装置はさらに、
効果音の音声データを、音程を変えずに再生スピードを変更して再生する時短再生手段を有し、
前記制御手段は、前記取得手段によって取得した時間に応じた再生スピードで前記第２の効果音の効果音の音声データを前記時短再生手段によって再生するよう制御することを特徴とする請求項３記載の撮像装置。
【請求項７】
効果音の発音処理を行う発音処理手段と、
同一の指示がなされている間に複数回の撮影動作を行う連写撮影手段と、
前記連写撮影手段による撮影動作が行われている間は同一の効果音を発音しつづけるよう前記発音処理手段を制御する制御手段と
を有することを特徴とする撮像装置。
【請求項８】
前記制御手段は、前記連写撮影の開始に連動して前記効果音とは異なる第１の効果音の発音処理を行うよう制御し、前記連写撮影の終了に連動して前記効果音とはことなる第２の効果音の発音処理を行うよう制御することを特徴とする請求項７記載の撮像装置。
【請求項９】
効果音の発音処理を行う発音処理手段と、
撮影動作の開始に連動して前記発音処理手段による第１の効果音の発音処理を行い、撮影動作の終了に連動して前記発音処理手段による第２の効果音の発音処理を行うよう制御する制御手段とを有し、
前記制御手段は、前記発音処理手段が、
前記第２の効果音の発音処理中に撮影動作が開始された場合、
前記第１の効果音を前記第２の効果音と重ねて発音処理するよう制御することを特徴とする撮像装置。
【請求項１０】
前記撮影動作は露光動作であることを特徴とする請求項１乃至９記載の撮像装置。
【請求項１１】
撮影動作の開始に連動した第１の効果音と撮影動作の終了に連動した第２の効果音との発音処理を行う発音処理工程と、
撮影動作の開始の際に、当該撮影動作の前に行われた撮影動作の終了に連動した前記第２の効果音が発音しているか否かを判定する判定工程と、
前記判定工程によって前記第２の効果音が発音していると判定された場合は、前記第１の効果音の発音処理を行わない、あるいは発音している前記第２の効果音を停止するよう制御する制御工程と
を有することを特徴とする撮像装置の制御方法。
【請求項１２】
撮影動作の開始を示す第１の効果音と撮影動作の終了を示す第２の効果音との発音処理を行う発音処理工程と、
撮影動作終了から次回撮影動作開始までの期間に要する時間を取得する取得工程と、
前記取得工程によって取得した時間に応じて、撮影動作の終了を示す前記第２の効果音の発音処理を、中断することなく次回の撮影動作の開始までに終了するように行うよう制御する制御工程と
を有することを特徴とする撮像装置の制御方法。
【請求項１３】
効果音の発音処理を行う発音処理工程と、
同一の指示がなされている間に複数回の撮影動作を行う連写撮影工程と、
前記連写撮影工程による撮影動作が行われている間は同一の効果音を発音しつづけるよう前記発音処理工程を制御する制御工程と
を有することを特徴とする撮像装置の制御方法。
【請求項１４】
効果音の発音処理を行う発音処理工程と、
撮影動作の開始に連動して前記発音処理工程による第１の効果音の発音処理を行い、撮影動作の終了に連動して前記発音処理工程による第２の効果音の発音処理を行うよう制御する制御工程とを有し、
前記制御工程は、前記発音処理工程において、
前記第２の効果音の発音処理中に撮影動作が開始された場合、
前記第１の効果音を前記第２の効果音と重ねて発音処理するよう制御することを特徴とする撮像装置の制御方法。
【請求項１５】
コンピュータを、
撮影動作の開始に連動した第１の効果音と撮影動作の終了に連動した第２の効果音との発音処理を行う発音処理手段、
撮影動作の開始の際に、当該撮影動作の前に行われた撮影動作の終了に連動した前記第２の効果音が発音しているか否かを判定する判定手段、
前記判定手段によって前記第２の効果音が発音していると判定された場合は、前記第１の効果音の発音処理を行わない、あるいは発音している前記第２の効果音を停止するよう制御する制御手段
として機能させるためのプログラム。
【請求項１６】
コンピュータを
撮影動作の開始を示す第１の効果音と撮影動作の終了を示す第２の効果音との発音処理を行う発音処理手段、
撮影動作終了から次回撮影動作開始までの期間に要する時間を取得する取得手段、
前記取得手段によって取得した時間に応じて、撮影動作の終了を示す前記第２の効果音の発音処理を、中断することなく次回の撮影動作の開始までに終了するように行うよう制御する制御手段
として機能させるためのプログラム。
【請求項１７】
コンピュータを、
効果音の発音処理を行う発音処理手段、
同一の指示がなされている間に複数回の撮影動作を行う連写撮影手段、
前記連写撮影手段による撮影動作が行われている間は同一の効果音を発音しつづけるよう前記発音処理手段を制御する制御手段
として機能させるためのプログラム。
【請求項１８】
コンピュータを、
効果音の発音処理を行う発音処理手段、
撮影動作の開始に連動して前記発音処理手段による第１の効果音の発音処理を行い、撮影動作の終了に連動して前記発音処理手段による第２の効果音の発音処理を行うよう制御する制御手段
として機能させ、
前記制御手段は、前記発音処理手段が、
前記第２の効果音の発音処理中に撮影動作が開始された場合、
前記第１の効果音を前記第２の効果音と重ねて発音処理するよう制御することを特徴とするプログラム。
【請求項１９】
コンピュータを、
撮影動作の開始に連動した第１の効果音と撮影動作の終了に連動した第２の効果音との発音処理を行う発音処理手段、
撮影動作の開始の際に、当該撮影動作の前に行われた撮影動作の終了に連動した前記第２の効果音が発音しているか否かを判定する判定手段、
前記判定手段によって前記第２の効果音が発音していると判定された場合は、前記第１の効果音の発音処理を行わない、あるいは発音している前記第２の効果音を停止するよう制御する制御手段
として機能させるためのプログラムを記録したコンピュータが読み取り可能な記録媒体。
【請求項２０】
コンピュータを
撮影動作の開始を示す第１の効果音と撮影動作の終了を示す第２の効果音との発音処理を行う発音処理手段、
撮影動作終了から次回撮影動作開始までの期間に要する時間を取得する取得手段、
前記取得手段によって取得した時間に応じて、撮影動作の終了を示す前記第２の効果音の発音処理を、中断することなく次回の撮影動作の開始までに終了するように行うよう制御する制御手段
として機能させるためのプログラムを記録したコンピュータが読み取り可能な記録媒体。
【請求項２１】
コンピュータを、
効果音の発音処理を行う発音処理手段、
同一の指示がなされている間に複数回の撮影動作を行う連写撮影手段、
前記連写撮影手段による撮影動作が行われている間は同一の効果音を発音しつづけるよう前記発音処理手段を制御する制御手段
として機能させるためのプログラムを記録したコンピュータが読み取り可能な記録媒体。
【請求項２２】
コンピュータを、
効果音の発音処理を行う発音処理手段、
撮影動作の開始に連動して前記発音処理手段による第１の効果音の発音処理を行い、撮影動作の終了に連動して前記発音処理手段による第２の効果音の発音処理を行うよう制御する制御手段
として機能させ、
前記制御手段は、前記発音処理手段が、
前記第２の効果音の発音処理中に撮影動作が開始された場合、
前記第１の効果音を前記第２の効果音と重ねて発音処理するよう制御することを特徴とするプログラムを記録したコンピュータが読み取り可能な記録媒体。
【手続補正２】
【補正対象書類名】明細書
【補正対象項目名】発明の名称
【補正方法】変更
【補正の内容】
【発明の名称】撮像装置およびその制御方法およびプログラムおよび記録媒体